【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
インクを射出方向に射出するためのノズルを有し、前記インク滴射出方向とは反対の向きでインクを受け取る向きに配置されたインク入口ポートを有するインクジェット印字カートリッジ用の、流体アダプタであって、
外殻、並びに内部室を画定する第１および第２の端部を有する本体であって、前記内部室が該本体の第１の端部と第２の端部との間のインクの内部流体導管として機能する、本体と、
前記本体の第１の端部に固定され、前記内部室と連通する第１の流体継手と、
前記本体の第２の端部に固定され、前記内部室と連通する第２の流体継手とからなり、
前記第１の流体継手は、前記印字カートリッジの入口ポートに対して解放可能にシールされ、前記内部流体導管と前記印字カートリッジの入口ポートとの間を連通させて、前記インク射出滴射出方向とは実質的に反対の方向に、前記内部流体導管を通して前記第１の流体継手へインクを流し、該第１の流体継手を通して前記印字カートリッジの入口ポートの中へとインクを流すことができるように構成され、
前記第２の流体継手は、前記インク供給源の出口ポートに対して解放可能にシールされ、前記内部流体導管とインク供給源の出口ポートとの間を連通させて、インク供給源から前記第２の流体継手を通して前記内部流体導管の中へとインクを流すことができるように構成される、流体アダプタ。
【請求項２】
前記内部室は、インク溜めを更に含む、請求項１に記載の流体アダプタ。
【請求項３】
前記インク溜めは、インクを収容するための発泡樹脂材を備える、請求項２に記載の流体アダプタ。
【請求項４】
前記インク溜めは、インクを収容するための浮き袋を備える、請求項２に記載の流体アダプタ。
【請求項５】
前記インク溜めは、インクを収容するためのばね袋を備える、請求項２に記載の流体アダプタ。
【請求項６】
前記印字カートリッジの前記入口ポートが中空針である、請求項１に記載の流体アダプタ。
【請求項７】
前記第１の流体継手は、前記中空針を受け入れるための弾性材料を備える、請求項６に記載の流体アダプタ。
【請求項８】
前記弾性材料は、前記入口針を受け入れるための自己密封穴をさらに備える、請求項７に記載の流体アダプタ。
【請求項９】
前記第２の流体継手は、針を受け入れるための弾性材料を備える、請求項１に記載の流体アダプタ。
【請求項１０】
前記本体の外面は、前記印字カートリッジから前記射出方向に対して実質的に平行な方向に張り出した、前記入口ポートを囲む覆いの内面に係合され、前記第１の流体継手と前記インクカートリッジの入口ポートとの間の位置合わせが確実になるように構成される、請求項１に記載の流体アダプタ。
【請求項１１】
前記第１の流体継手を通るインクの流れは、第１の方向を規定し、前記第２の流体継手へ入ってゆくインクの流れは、前記第１の方向に対して鋭角を成す第２の方向を規定する、請求項１に記載の流体アダプタ。
【請求項１２】
前記鋭角が９０°である、請求項１１に記載の流体アダプタ。
【請求項１３】
前記鋭角が０°である、請求項１１に記載の流体 アダプタ。
【請求項１４】
インクを射出方向に射出するためのノズルを有し、前記インク滴射出方向とは反対の向きでインクを受け取る向きに配置されたインク入口ポートを有するインクジェット印字カートリッジ用の、流体アダプタであって、
外殻、並びに内部室を画定する第１および第２の端部を有する本体であって、前記内部室が該本体の第１の端部と第２の端部との間のインクの内部流体導管として機能する、本体と、
前記本体の第１の端部に固定され、前記内部室と連通する流体継手とからなり、
前記流体継手は、前記印字カートリッジの入口ポートに対して開放可能にシールされ、前記本体が前記印字カートリッジに係合されたときに、前記内部流体導管と前記印字カートリッジとの間を連通させて、前記射出方向とは実質的に反対の方向に、前記流体導管を通して前記流体継手へインクを流し、該流体継手を通して前記印字カートリッジの入口ポートの中へとインクを流すことができるように構成される、流体アダプタ。
【請求項１５】
前記内部室は、インク溜めを更に含む、請求項１４に記載の流体アダプタ。
【請求項１６】
前記インク溜めは、インクを収容するための発泡樹脂材を備える、請求項１５に記載の流体アダプタ。
【請求項１７】
前記印字カートリッジの前記入口ポートが中空針であり、
前記流体継手は、前記中空針を受け入れるための弾性材料を備える、請求項１４に記載の流体アダプタ。
【請求項１８】
インクを射出方向の媒体に対して射出するための印字ヘッドを有する印字カートリッジを有する印刷システムであって、該印字カートリッジが前記射出方向とは実質的に反対の方向へ流体を流すことができる向きに配置されたインク入口ポートを有するものにおいて、
前記印字カートリッジを支持するとともに、前記媒体を横切って走査する走査キャリッジと、
入口ポートに対して流体的に結合される流体継手であって、該流体継手から前記射出方向とは実質的に反対の方向にインクを流すことができるように構成された、流体継手と、
前記流体継手と連通し、インク源からインクを受け取る流体導管と、
からなる印刷システム。
【請求項１９】
前記インク源は、交換可能なインク源である、請求項１８に記載の印刷システム。
【請求項２０】
前記交換可能なインク源は、前記走査キャリッジ上に配置され、前記走査キャリッジと一緒に移動する、請求項１９に記載の印刷システム。
【請求項２１】
前記交換可能なインク源、前記流体導管、および前記流体継手が、一体形の交換可能ユニットである、請求項１９に記載の印刷システム。
【請求項２２】
前記交換可能なインク源は、前記走査キャリッジに対して静止していて、前記流体導管は、静止した前記交換可能なインク源と第２の流体継手との間を連通させるための柔軟な部分を有する、請求項１８に記載の印刷システム。
【請求項２３】
前記インク入口ポートが中空針である、請求項１８に記載の印刷システム。
【請求項２４】
前記インク入口は弾性材料を備える、前項１８に記載の印刷システム。
【請求項２５】
前記印字カートリッジは、前記走査キャリッジに対して着脱可能に取り付けられる、請求項１８に記載の印刷システム。
【請求項２６】
前記流体継手は、前記印字カートリッジが前記走査キャリッジに対して着脱可能にに取り付けられる前に、前記インク入口ポートに対して取り付けられる、請求項２５に記載の印刷システム。
【請求項２７】
前記流体継手は、前記印字カートリッジが前記走査キャリッジに対して着脱可能に取り付けられた後で、前記インク入口に対して取り付けられる、請求項２５に記載の印刷システム。
【請求項２８】
インクを射出方向の媒体に対して射出するためのインクジェット印字カートリッジにインクを供給する方法であって、該印字カートリッジが、前記射出方向とは実質的に反対の向きでインクが入ってゆくような向きに配置された流体入口を有するものにおいて、
前記印字カートリッジを前記射出方向に対して実質的に平行な方向で走査キャリッジに挿入し、該走査キャリッジに対して流体的および電気的に接続するステップと、
導管に連通する流体継手を前記流体入口に接続するステップと、
インク源を前記流体導管に取り付けるステップと、
インクを前記流体導管を通して前記流体継手へ、更に該流体継手を通して前記印字カートリッジへと、前記第１の方向とは実質的に反対の方向に運ぶステップと、
第１の直角に曲がった経路により第２の方向を規定するステップと、
第２の直角に曲がった経路を規定し、インクを前記第１の方向に対して実質的に平行な方向で前記印字ヘッドに流し込むことができるようにするステップと
からなる方法。